(57)【要約】【課題】通気性の乏しいゴム製或いは合成樹脂製の長手袋を乾燥させる場合に、完全に乾燥させることが困難な先端部分まで確実に乾燥させると同時に、悪臭や黴の発生を抑制するための炊事用手袋乾燥器具を提供する。【解決手段】加熱装置１１と、加熱装置１１の下流に配置され、被乾燥物Ｐを被せて乾燥気体により被乾燥物を乾燥させるための筒状の乾燥管１９と、前記加熱装置１１において加熱された乾燥気体を移送するために前記加熱装置１１の上流に設けられた送風機１３と、からなる炊事用手袋乾燥器具１において、前記乾燥管１９の内部或いは外部に、乾燥管１９に被せた被乾燥物Ｐにおいて特に乾燥の困難な先端部分を乾燥するための先端部乾燥手段２１が設けられていることを特徴とする。【選択図】  図２
0003113986.tif 000002
【実用新案登録請求の範囲】
【請求項１】
加熱装置と、加熱装置の下流に配置され、被乾燥物を被せて乾燥気体により乾燥させるための筒状の乾燥管と、前記加熱装置において加熱された乾燥気体を移送するために前記加熱装置の上流に設けられた送風機と、からなる乾燥器具であって、前記乾燥管の内部或いは外部に、特に乾燥の困難な先端部分を乾燥するための先端部乾燥手段が設けられていることを特徴とする炊事用手袋乾燥器具。
【請求項２】
前記先端部乾燥手段が、遠赤外線を含む赤外線を照射するためのヒータであることを特徴とする、請求項１に記載の炊事用手袋乾燥器具。
【請求項３】
さらに芳香消臭剤供給装置が配置されていることを特徴とする、請求項１又は２に記載の炊事用手袋乾燥器具。
【請求項４】
被乾燥物の内部を蒸気によって洗浄するための蒸気洗浄装置がさらに設けられたことを特徴とする請求項１〜３のいずれかに記載の炊事用手袋乾燥器具。
【考案の詳細な説明】
【技術分野】
【０００１】
本考案は、通気性の無い或いは通気性に乏しい素材で製造された手袋類の内部を効率的に乾燥させるための乾燥器具に関する。特に、炊事、洗濯等において頻繁に使用されるゴム製・ビニル製の長手袋の内部を乾燥させるための炊事用手袋乾燥器具に関する。
【背景技術】
【０００２】
従来、炊事、洗濯等において使用されるゴム製・ビニル製の長手袋は、水仕事に使用するために、その内部に水が入ることが多々あり、水が入った後は、素材の通気性の乏しさから完全に乾燥させることが困難であった。上述の手袋は通常５本指の構造になっているため、裏返して乾燥させるには手間がかかる一方で、裏返して乾燥させたとしても指先部分が完全に乾燥するには時間がかかり、万一生乾きの時には、後々までかび臭さが残ってしまうこともあった。
このような問題点に鑑み、従来以下のような装置が開示されていた。
【０００３】
特開２００４−１９４９７３号公報には、通気性の困難な魚釣り等の深形の長靴や、深形の手袋の内部を効率よく速く乾燥する乾燥器を開示するものであり、垂直な通風管と、通風管と平行に設けられた乾燥管と、それぞれを連結させる連結管とで構成されている。通風管の上端には送風機を備えており、送風機は蓄電池や太陽電池などの電源装置で駆動するものであって、通気性の困難な深形の乾燥物内部で発生する水蒸気をいち早く排出し、乾燥物内を乾燥する。
【０００４】
特開２００２−１７７１９２号公報には、消毒乾燥装置を乾燥用ホルダーと装置本体と分け、乾燥用ホルダーとして手袋用ホルダー、袋物用ホルダー、靴用ホルダー等を用途に応じて使い分けられるようにし、乾燥物をこの乾燥用ホルダーに装着して、消毒用のミスト、乾燥温風、オゾン化された空気などを手袋等の乾燥物の内部に吹き出すように構成し、装置本体を内部に送風機、空気加熱装置、噴霧装置、薬剤貯蔵タンク、オゾン発生装置、運転操作のためのマイコン制御装置などを必要に応じて組み込んだ乾燥装置が開示されている。
【特許文献１】特開２００４−１９４９７３号公報
【特許文献２】特開２００２−１７７１９２号公報
【考案の開示】
【考案が解決しようとする課題】
【０００５】
しかしながら、上記の様な従来の乾燥装置には以下のような問題点があった。
すなわち、特開２００４−１９４９７３号公報に開示された乾燥器においては、通風管２の上端に送風機６が配置されており、送風機６は深形の被乾燥物から湿気を吸引し排出する。そのため、送風機６により被乾燥物が直接乾燥されず、内部に湿気が残留し、悪臭や黴の原因となる。
特開２００２−１７７１９２号公報に開示された乾燥装置においては、乾燥用ホルダーを装着して乾燥温風を乾燥物の内部に吹き出すように構成されているが、乾燥物が五本指の手袋等の場合、手袋の指先部分までは完全に乾燥するのが困難である。
【課題を解決するための手段】
【０００６】
上記の課題を解決するため、請求項１に記載するように、本考案の炊事用手袋乾燥器具は、
加熱装置と、加熱装置の下流に配置され、炊事用の手袋を被せて乾燥気体により乾燥させるための筒状の乾燥管と、前記加熱装置において加熱された乾燥気体を移送するために前記加熱装置の上流に設けられた送風機と、からなる乾燥器具であって、前記乾燥管の内部或いは外部に、特に乾燥の困難な先端部分を乾燥するための先端部乾燥手段が設けられていることを特徴とする。
【０００７】
また、請求項２に記載するように、前記先端部乾燥手段は、主に遠赤外線を含む赤外線を照射するためのヒータであることを特徴とする。
請求項３に記載するように、さらに本考案の炊事用手袋乾燥器具には、芳香消臭剤供給装置が配置されていることを特徴とする。
さらにまた、請求項４に記載するように、本考案の炊事用手袋乾燥器具には、被乾燥物の内部を蒸気によって洗浄するための蒸気洗浄装置を設けることを特徴とする。
【考案の効果】
【０００８】
請求項１に記載の構成とすることにより、完全に乾燥することの困難な手袋先端部分を乾燥させることができる。また、先端部乾燥手段を、乾燥気体を発生させるための加熱装置とは別個独立の構成とすることにより、被乾燥物を全体的には屋外の太陽光により乾燥させた後に、別個に先端部分のみを乾燥させることもできる。
請求項２に記載のように先端部乾燥装置を赤外線ヒータとすることにより、乾燥効率の向上を図ることができ、短時間で乾燥を完了させることができる。また、消費電力エネルギーも少ない。
請求項３に記載の構成により芳香消臭剤供給装置から芳香剤・消臭剤を拡散させることにより、完全に乾燥し難い被乾燥物Ｐの先端部分において悪臭を発生させることを抑制し、且つ使用者の好みにより芳香を付加することが可能とする。
請求項４に記載の構成とすることにより、被乾燥物の乾燥前に予め洗浄装置で内部を洗浄することも可能である。
【考案を実施するための最良の形態】
【０００９】
以下に、本考案の炊事用手袋乾燥器具を図を参照しながら詳細に説明する。
図１に示すように、本考案の炊事用手袋乾燥器具１において、加熱装置１１、送風装置１３、がハウジング１５中に収納されている。ハウジング１５の一部に構成された吸込口１５１から吸入された空気は、送風装置１３により気流を発生させた後に加熱装置１１により加熱され、下流へと導かれる。加熱装置１１により加熱された気体の温度は、被乾燥物を傷めないために、８０℃以下の温度となるよう調整される。
加熱装置１１はヒータ１１ａとその外殻の断熱部材１１ｂとから構成されており、この断熱部材１１ｂにより、加熱時にもハウジング１５やその他周辺部材が熱くなりすぎることを防止している。
加熱装置１１の上流に配された送風装置１３は、円筒状の羽根車１３１と、羽根車１３１を回転させるモータ１３３とからなり、吸入口１５１から吸入された空気がモータ１３３で回転された羽根車１３１により気流となる。
ハウジング１５の一部には送風装置１３やヒータ１１ａの動作のオンオフを制御するスイッチ（図示せず）や、電源供給用のコード（図示せず）が延出されている。
【００１０】
図２に示すように、加熱装置１１の下流方向には、筒状の通気管１７が配設され、さらに通気管１７の下流方向には少なくとも一つの乾燥管１９が取り付けられている。
図２に示すように、乾燥管１９は、通気管１７よりも細身の筒状に構成され、先端部１９１は被乾燥物をセットしやすくするため先細テーパ状となっている。乾燥管１９の材質としては、耐熱性を有する素材、例えば金属素材或いは耐熱性樹脂が用いられる。耐熱温度としては少なくとも１００℃以上であることが必要とされる。
【００１１】
図３に示すように、乾燥管１９の先端１９１最上部には開口部１９３が設けられている。また、乾燥管胴部側面には、乾燥気体等を噴出させるための複数の小穴１９５が空けられている。前記乾燥装置１１によって発生した加熱気体は、前記送風機１３により前記通気管１７を通過して乾燥管１９の先端開口部１９３及び側面の小穴１９５から吹き出し、乾燥管１９に被せられた被乾燥物Ｐを乾燥させる。
【００１２】
さらに図４のように、乾燥管１９には、先端部乾燥手段２１が設けられている。すなわち、被乾燥物Ｐが通気性に乏しいゴム手袋や、合成樹脂製の手袋の場合、掌に該当する部分は比較的容易に乾燥可能であるが、指先部分は乾燥が困難であり、且つ生乾きのまま放置すると、その後洗浄を行ったとしても後々までかび臭さが残る。そこで、特に先端部分にも独立した乾燥装置２１を設けることにより、完全な乾燥が困難な先端部分を強制的に乾燥させることができる。
【００１３】
先端乾燥装置２１の構成としては、図４に示すように、平板状或いはシート状のヒーター２１１を乾燥管１９の外表面或いは内表面に一体となる様に貼り付ける。或いは、図３に示すように、乾燥管１９の内部中心に棒状のヒーター２１３を乾燥管１９と平行になるように配置することも可能である。
【００１４】
特に、先端部乾燥手段２１は、赤外線を照射する赤外線ヒータであることが好ましい。
波長領域が約８００ｎｍ〜１ｍｍの赤外線は、近赤外線と遠赤外線とに分けられる。波長領域が約３μｍ〜１ｍｍである遠赤外線は、被乾燥物の主な素材であるプラスチック、繊維、ゴム等に吸収されるため、本考案の乾燥用途には最適である。一方、波長領域が約０．７５〜２μｍ、中心波長が約１．２μｍである近赤外線は、上記プラスチックやゴム等に対する吸収率が低いため、大部分が被乾燥物の表層部分を通過すると考えられる。しかしながら、乾燥の気候は遠赤外線と同じく輻射熱を利用する。これらの赤外線が本考案の乾燥用途に使用される。
【００１５】
赤外線を利用する乾燥方式は、熱伝導や対流による熱風乾燥方式に比べ、そのエネルギー効率は著しく高い。したがって、乾燥温度までに被乾燥物を昇温するのに要する時間が短く、加熱時間の短時間化を実現することができると同時に、装置の小型化が可能である。さらに、スイッチのオン／オフとほぼ同時に立ち上がるため、熱風乾燥に比べて電力エネルギーの使用量が少ない処理方法であり、製造コストも削減できる。
なお、乾燥手段としては、上記赤外線を利用する方式のみによって行っても良いが、熱風による加熱を併用しても良い。
【００１６】
前記先端乾燥装置２１の加熱温度としては、被乾燥物を傷めないため、或いは、乾燥時に必要な電気エネルギーの観点から、比較的低温とすることが必要である。具体的には、８０度以下、好ましくは、３０〜７０℃程度の温度で加熱・乾燥を行う。この際、３０℃以下であれば、目的とする乾燥を行うことができないか、乾燥に膨大な時間が必要となる。一方７０℃を超えた温度で加熱乾燥を行うと、被乾燥物を傷めるだけでなく、余分な電気エネルギーが必要とされるため好ましくない。
【００１７】
図１に示すように、本考案の炊事用手袋乾燥器具１においては、芳香消臭剤供給装置３１を配置することが好ましい。
すなわち、ゴム手袋等の被乾燥物Ｐの内部は通気性に乏しいため、一旦水濡れ等した場合に乾燥し難いばかりか、放置しておくと悪臭や黴等の原因になる。一旦悪臭がしたゴム手袋は、その後複数回洗浄・乾燥したとしても完全に悪臭を除くことは困難であり、それ以上悪臭を増加させないためにこまめに洗浄、乾燥を行うしかない。そこで、本考案において芳香消臭剤供給装置３１を配置して、加熱装置１１により発生させた乾燥気体と共に、或いは被乾燥物Ｐを乾燥後に、芳香剤或いは消臭剤を順次拡散させることにより、完全に乾燥し難い被乾燥物Ｐの先端部分においても悪臭を発生させることを抑制し、且つ使用者の好みにより芳香を付加することが可能である。
【００１８】
芳香消臭剤供給装置３１は、加熱装置１１と通気管１７との間に配置された蒸発皿３３と、蒸発皿３３に芳香剤或いは消臭剤を収容するためのボトル３５と、ポンプ３７と、ポンプを制御するための制御手段３９とからなる。ボトル３５は、本体３５１と、本体を気密的に塞ぐキャップ３５３とからなり、キャップ３５３には、ボトル内部に収容された芳香剤、消臭剤を蒸発皿３３に供給するための排出管３５５が取り付けられている。制御手段３９によりポンプ３７が一定時間ごとに作動され、ボトル３５内部の内圧を上昇させる。ボトル３５内部に収容された芳香剤或いは消臭剤はボトル内圧の上昇に伴って排出管３５５を通って押し出されて蒸発皿３３に滴下され、蒸発皿３３に保持された状態で少しずつ蒸発していく。また、加熱装置１１及び送風機１３を作動させれば、加熱装置１１により蒸発皿に保持された芳香剤・消臭剤の蒸発・拡散の速度が早まる。
【００１９】
なお、芳香消臭剤供給装置３１には、芳香剤及び消臭剤を同時に収容することは、それぞれの作用を相殺するため好ましくなく、どちらか一方のみを収容する。ただし、収容するためのボトル３５は芳香剤と消臭剤で兼用することができ、装置自体が大型化することを防止する。
【００２０】
また、上述のように、芳香機能、消臭機能のみならず、抗菌機能を追加することもできる。この場合、前記芳香消臭剤供給装置３１に、芳香剤或いは消臭剤と同様に抗菌剤を収容して抗菌機能を発揮させても良いし、オゾン等の抗菌機能を有する気体を発生させて、送風機１３により拡散させても良い。
【００２１】
さらに、被乾燥物Ｐの内部を蒸気によって予め洗浄するための蒸気洗浄装置４１が設けられている。蒸気洗浄装置４１は、外部から洗浄水を供給するための給水口４１１と、前期給水口４１１に接続された蒸気発生装置４１３とを備えている。給水口４１１から蒸気発生装置４１３内に洗浄水が供給された後に、加熱装置１１により加熱され蒸気が発生する。その後、発生した蒸気は乾燥時における乾燥気体と同様にして通気管１７及び乾燥管１９を通じて、被乾燥物Ｐの内部を洗浄する。すなわち、通気管１７及び乾燥管１９は、乾燥気体、及び芳香剤、消臭剤の通気路として構成されているだけでなく、洗浄用の蒸気の通路も兼ねている。
【００２２】
また、蒸気洗浄装置４１は、前記加熱装置１１の下流部に蒸気噴霧手段４１５を備えている。前記蒸気噴霧４１５は、前記蒸気発生装置４１３により発生した蒸気を高圧蒸気に変え、通気管１７及び乾燥管１９を介して被乾燥物（被洗浄物）Ｐに対して噴出する。この際、連続的に蒸気を噴出するよりも間欠的に蒸気を噴出した方が、使用する水量やヒーター出力の面から効率的である。また、間欠的に噴出することで、加熱蒸気による被洗浄物の傷みを防止できる。なお、間欠的に噴霧する場合でも、連続的に噴霧する場合に比べて洗浄能力は劣らない。
【００２３】
本考案の炊事用手袋乾燥器具を用いてゴム手袋等の被乾燥物を乾燥させるに際しては、以下の順序で実施する。
まず、必要に応じて、乾燥管１９に被洗浄物Ｐをセットし、蒸気洗浄装置４１を用いて内部の蒸気洗浄を行う。蒸気洗浄装置４１は間欠的に蒸気を噴出し、該蒸気によって被洗浄物の内側の汚れが取り込まれ、汚れを取り込んだ蒸気が液体に戻って排出される。
【００２４】
その後、加熱装置１１によって発生させた乾燥気体を送風機１３によって送風し、内部の乾燥を行う。この乾燥の温度は上述したように８０℃以下で乾燥することが必要である。その他、必要に応じて、乾燥過程で温度を変更することも可能である。例えば、最初７０℃で１０分間乾燥させた後に、３５℃まで温度を下げて４０分間乾燥させることも可能である。
【００２５】
次に、被乾燥物Ｐの内部先端の乾燥のために、特に先端部乾燥手段２１により乾燥を行う。この際、加熱装置１１と先端部乾燥手段２１とは別個独立に動作するため、単独のみでも使用可能である。例えば、先端部分だけが僅かに湿気を帯びている場合であって、この先端部分だけを乾燥すれば足りる場合には、先端部乾燥手段２１のみのスイッチをオンとして、部分的な乾燥を行う。
【００２６】
最後に、必要に応じて芳香消臭剤供給装置３１を作動させ、芳香剤或いは防臭剤、又はその両方を順次拡散させ、被乾燥物Ｐ内部の悪臭発生を抑制する。また、必要に応じて抗菌機能を発揮させても良く、例えば、抗菌作用のあるオゾンを拡散させて殺菌することも可能である。
【００２７】
なお、洗浄、乾燥、先端乾燥、芳香及び防臭の各過程は、タイマーをセットすることにより、自動的に切換が可能である。全過程が終了したら、自動的にスイッチがオフとなる。さらに、各過程を全て順番に実施する必要はなく、使用者が希望する過程のみを選択して実施することもできる。例えば、先端乾燥及び防臭の過程のみを選択し、洗浄は行わない、といったことも可能である。
【００２８】
本考案の他の実施例として、図５を示して説明する。
本考案において使用される乾燥管１９の形状としては、円筒状のみではなく、図５に示されるような四角錐状とすることも可能である。四角錐の各側面には、小穴１９５を多数設けて乾燥気体や洗浄蒸気を噴出できるようにする。
また、乾燥管１９内部には先端部乾燥手段２１として、固形乾燥剤を配置し、先端部を強制的に乾燥させることができる。固形乾燥剤としては例えばシリカゲル等公知のものを使用することができ、使用後は適宜新しい乾燥剤に交換可能とすることも可能である。電気式のヒータと比較して電気エネルギーを必要とせず、装置の構造としても容易である。
【００２９】
その他の実施例として、図６を示して説明すると、図６に示すように、通気管１７は耐熱性を有していれば、軟質の合成樹脂等を用いても良い。例えば、弾性・可撓性を有するフレキシブルホース等を使用しても良い。
また、通気管１７や乾燥管１９等の各部品は、汚れが付着した際の掃除を容易とするため、分解可能としても良い。
図６に示すように、通気管１７の下方には、洗い終わった手袋の水滴を受けるための受け皿５０が設置されていることが好ましい。
さらに、図６に示すように手袋セット部分に別途ハンガーＸを取り付け可能としておけば、洗浄・乾燥し終わった手袋を前記ハンガーＸごと竿や鴨居に引っ掛けておき、使用する際にすぐに取り外して使用できるため好適である。
【産業上の利用可能性】
【００３０】
本考案の炊事用手袋乾燥器具によれば、乾燥管の外側表面に、独立して動作する先端部乾燥手段が設けられているため、通気性の乏しいゴム手袋や、合成樹脂製の手袋等を乾燥させる場合に、完全に乾燥することの困難な手袋先端部分を、他の部分とは別個に乾燥させることができる。さらに本考案の炊事用手袋乾燥器具には、芳香消臭剤供給装置が配置されているため、芳香剤・消臭剤を拡散させることにより、完全に乾燥し難い被乾燥物Ｐの先端部分において悪臭を発生させることを抑制し、且つ必要に応じて使用者の好みの芳香を付加することが可能である。
本考案の炊事用手袋乾燥器具は、手袋類の乾燥のみならず、布製、或いは革製等の靴の乾燥にも使用することができる。また、台所用ふきん等の乾燥及び殺菌にも用いることができる。本考案の炊事用手袋乾燥器具は、低温で加熱乾燥させるため、毎日使用しても被乾燥物を傷めることが無く好適である。
【図面の簡単な説明】
【００３１】
【図１】本考案の炊事用手袋乾燥器具を示す模式図である。
【図２】本考案の炊事用手袋乾燥器具の使用状態を示す模式図である。
【図３】本考案の先端部乾燥手段の例を示す斜視図である。
【図４】本考案の先端部乾燥手段の例を示す斜視図である。
【図５】本考案の炊事用手袋乾燥器具の他の実施形態を示す模式図である。
【図６】本考案の炊事用手袋乾燥器具の他の実施形態を示す模式図である。
【符号の説明】
【００３２】
１      炊事用手袋乾燥器具
１１    加熱装置
１１ａ  ヒータ
１１ｂ  断熱部材
１３    送風装置
１３１  羽根車
１３３  モータ
１５    ハウジング
１５１  吸込口
１７    通気管
１９    乾燥管
１９１  先端
１９３  開口部
１９５  小穴
２１    先端部乾燥手段
２１１  シート状ヒーター
２１３  棒状ヒーター
３１    芳香消臭剤供給装置
３３    蒸発皿
３５    ボトル
３５１  本体
３５３  キャップ
３５５  排出管
３７    ポンプ
３９    制御手段
４１    蒸気洗浄装置
４１１  給水口
４１３  蒸気発生装置
４１５  蒸気噴霧手段
５０    受け皿
Ｐ      被乾燥物
Ｘ      ハンガー
【図１】
0003113986.tif 000003
【図２】
0003113986.tif 000004
【図３】
0003113986.tif 000005
【図４】
0003113986.tif 000006
【図５】
0003113986.tif 000007
【図６】
0003113986.tif 000008